(57)【要約】【課題】多チャンネルに対応し、且つフレームレートを低下させずに、ハードウェア資源を削減することを目的とする。【解決手段】映像記録再生制御手段が、新規映像チャネルに関する映像データの記録、再生の際、新規映像チャネルに係る入力映像データと同一の入力映像データに係る同一の映像チャネルを検索し、同一の映像チャネルが存在する場合には、映像データをデコードするデコード手段及び／又は映像データの解像度を変換する解像度変換手段における同一の映像チャネルに関する映像データに対する処理と、新規映像チャネルに関する映像データに対する処理とを共用可能なようにデコード手段及び／又は解像度変換手段への設定切り換え制御を行うことによって前記課題を解決する。【選択図】図１
2007324882.tif 000002
【特許請求の範囲】
【請求項１】
ディジタル化された映像データを記録、再生表示する映像記録再生装置であって、
複数チャネルの第１のフォーマットの映像データの入力を受け付ける映像入力手段と、
第１のフォーマットの映像データを第２のフォーマットの映像データにデコードするデコード手段と、
第２のフォーマットの映像データを、異なる画面サイズの第２のフォーマットの映像データに解像度変換する解像度変換手段と、
第２のフォーマットの映像データを第１のフォーマットの映像データにエンコードするエンコード手段と、
第１のフォーマットの映像データを記録媒体に記録する映像記録手段と、
前記記録媒体に記録された前記第１のフォーマットの映像データを読み出す映像再生手段と、
第２のフォーマットの映像データを表示画面上に表示する表示手段と、
前記映像入力手段からの第１のフォーマットの映像データを、前記デコード手段により第２のフォーマットの映像データにデコードし、前記解像度変換手段により記録画面サイズの第２のフォーマットの映像データに解像度変換し、前記デコード手段により第１のフォーマットの映像データにデコードし、前記映像記録手段により記録媒体に記録するよう制御し、前記映像入力手段又は前記再生手段からの第１のフォーマットの映像データを前記エンコード手段により第２のフォーマットの映像データにエンコードして前記解像度変換手段により表示画面サイズの第２のフォーマットの映像データに解像度変換し、前記表示手段により表示画面に表示するよう制御する映像記録再生制御手段と、
を有し、
前記映像記録再生制御手段は、新規映像チャネルに関する映像データの記録、再生の際、前記新規映像チャネルに係る入力映像データと同一の入力映像データに係る同一の映像チャネルを検索し、前記同一の映像チャネルが存在する場合には、前記デコード手段及び／又は前記解像度変換手段における前記同一の映像チャネルに関する映像データに対する処理と、前記新規映像チャネルに関する映像データに対する処理とを共用可能なように前記デコード手段及び／又は前記解像度変換手段への設定切り換え制御を行うことを特徴とする映像記録再生装置。
【請求項２】
前記映像記録再生制御手段は、前記デコード手段及び／又は前記解像度変換手段への設定切り換え制御を行う際、前記解像度変換手段の前記同一の映像チャネルに関する映像データに対する処理における解像度変換後の画面サイズが前記新規映像チャネルに関する映像データの表示画面サイズ又は記録画面サイズと等しい場合、前記解像度変換手段における前記同一の映像チャネルに関する映像データに対する処理と、前記新規映像チャネルに関する映像データに対する処理とを共用設定し、前記解像度変換手段からの映像データが前記表示画面に表示、又は前記エンコード手段によりエンコードされた後に、前記映像記録手段により記録されるよう制御することを特徴とする請求項１記載の映像記録再生装置。
【請求項３】
前記映像記録再生制御手段は、前記デコード手段及び／又は前記解像度変換手段への設定切り換え制御を行う際、前記デコード手段の前記同一の映像チャネルに関する映像データに対する処理におけるデコード後の画面サイズが前記新規映像チャネルに関する映像データの表示画面サイズ又は記録画面サイズと等しい場合、前記デコード手段における前記同一の映像チャネルに関する映像データに対する処理と、前記新規映像チャネルに関する映像データに対する処理とを共用設定し、前記デコード手段からの映像データが前記表示画面に表示、又は前記エンコード手段によりエンコードされた後に、前記映像記録手段により記録されるよう制御することを特徴とする請求項１記載の映像記録再生装置。
【請求項４】
前記映像記録再生制御手段は、前記デコード手段及び／又は前記解像度変換手段への設定切り換え制御を行う際、前記デコード手段の前記同一の映像チャネルに関する映像データに対する処理におけるデコード後の画面サイズが前記新規映像チャネルに関する映像データの表示画面サイズ又は記録画面サイズより大きい場合、前記デコード手段における前記同一の映像チャネルに関する映像データに対する処理と、前記新規映像チャネルに関する映像データに対する処理とを共用設定し、前記解像度変換手段の空きを取得して、前記新規映像チャネルに設定し、前記解像度変換手段における変換後の映像データに係る画面サイズを前記新規映像チャネルの表示画面サイズ又は記録画面サイズに設定し、前記解像度変換手段からの映像データが前記表示画面に表示される、又は前記エンコード手段によりエンコードされた後に、前記映像記録手段により記録されるよう制御することを特徴とする請求項１記載の映像記録再生装置。
【請求項５】
前記映像記録再生制御手段は、前記デコード手段及び／又は前記解像度変換手段への設定切り換え制御を行う際、前記デコード手段の前記同一の映像チャネルに関する映像データに対する処理におけるデコード後の画面サイズが前記新規映像チャネルに関する映像データの表示画面サイズ又は記録画面サイズより小さい場合、前記デコード手段における前記同一の映像チャネルに関する映像データに対する処理と、前記新規映像チャネルに関する映像データに対する処理とを共用設定し、前記デコード手段における映像データのデコード後の画面サイズを前記新規映像チャネルに関する映像データの表示画面サイズ又は記録画面サイズに設定し、前記デコード手段からの映像データが前記表示画面に表示される、又は前記エンコード手段によりエンコードされた後に、前記映像記録手段により記録されるよう制御し、前記解像度変換手段に前記同一の映像チャネルが設定されていない場合は、前記解像度変換手段の空きを取得して前記同一の映像チャネルに設定し、前記解像度変換手段における変換後の画面サイズを前記同一の映像チャネルに係る映像データの表示画面サイズ又は記録画面サイズに設定変更し、前記解像度変換手段からの映像データが前記表示画面に表示、又は前記エンコード手段によりエンコードされた後に前記映像記録手段により記録されるよう制御することを特徴とする請求項１記載の映像記録再生装置。
【請求項６】
複数チャネルの映像データの記録、再生を制御する映像記録再生制御手段を有し、
前記映像記録再生制御手段は、新規映像チャネルに関する映像データの記録、再生の際、前記新規映像チャネルに係る入力映像データと同一の入力映像データに係る同一の映像チャネルを検索し、前記同一の映像チャネルが存在する場合には、映像データをデコードするデコード手段及び／又は映像データの解像度を変換する解像度変換手段における前記同一の映像チャネルに関する映像データに対する処理と、前記新規映像チャネルに関する映像データに対する処理とを共用可能なように前記デコード手段及び／又は前記解像度変換手段への設定切り換え制御を行うことを特徴とする映像記録再生装置。
【発明の詳細な説明】
【技術分野】
【０００１】
本発明は、映像記録再生装置に関する。
【背景技術】
【０００２】
近年、記録媒体の大容量化、高速化や、ディジタル映像の圧縮技術の進展に伴い、放送局、ビデオカメラ等から送出される映像をディジタル化して記録媒体に記録し、再生表示する映像記録再生装置が普及している。
【０００３】
更に、携帯電話や携帯情報端末の高機能化に伴い、映像記録再生装置に記録された映像を遠隔地から再生表示するニーズが高まっている。
【０００４】
この映像記録再生装置は、インターネットやＬＡＮ等のネットワークの広帯域化に伴い、ネットワークに接続されたカメラからの映像を、ネットワークを介して記録することにより、監視カメラシステムとして利用されつつある。
【０００５】
監視カメラシステムにおける映像記録再生装置は、複数のカメラからの映像（多チャンネル映像）を同時に記録し再生表示できる必要がある。
【０００６】
更に、それら映像は予め定められた一定期間記録される必要もある。
【０００７】
一般に、多チャンネルの映像を記録し再生表示するためには多くのハードウェア資源が必要になり、コストの増加を招いてしまう。
【０００８】
そこで、映像の記録と再生表示をより少ないハードウェア資源で行うために、以下の技術が開示されている。
【０００９】
特許文献１記載の監視映像記録再生装置及び監視映像記録再生方法では、映像をディジタル化して記録、表示する際に、動体検出手段と、解像度変換手段とを設けている。通常は、前記解像度変換手段により、入力映像ディジタルデータを低解像度に変換して記録、表示を行い、前記検出手段による、動体を検出したことを示す検出信号に基づき、低解像度変換を中止して高解像度データのままで記録、表示を行う。このことにより一定期間の連続的な記録をより少ない容量の記録媒体で実現している。
【００１０】
特許文献２記載の映像再生装置では、圧縮記録された複数チャネルのディジタル映像を再生表示する際に、チャネル毎に、圧縮データを復元するデータ復元手段を設けている。特許文献２記載の映像再生装置では、前記データ復元手段からのデータをアナログ信号に変換するＡ／Ｄ変換手段と、前記アナログ信号からマルチ画面を形成するマルチ画面化手段とによりマルチ画面表示を行う。又は、特許文献２記載の映像再生装置では、前記データ復元手段によるデータからマルチ画面を形成するマルチ画面手段と、マルチ画面データをアナログ信号に変換するＡ／Ｄ変換手段とによりマルチ画面表示を行う。このことにより、１台の表示装置によって多チャネルの表示を実現している。
【００１１】
特許文献３記載の映像記録再生装置では、圧縮記録された複数チャネルのディジタル映像を再生表示する際に、記録媒体から読み出された映像を伸張する画像伸張手段と、前記画像伸張手段から出力された信号の各フレームから一方のフィールドを抜き出すフィールド抜き出し手段と、画像サイズ縮小手段とを設けている。分割表示画面数に応じて表示レートを算出し、既定の表示レートより低くなる場合にはフィールド抜き出し手段による映像を画像サイズ縮小手段で縮小し画面分割表示を行う。このことにより、一定のハードウェア処理能力内で複数チャネルの自然な間引き表示を実現している。
【００１２】
【特許文献１】特開２００２−１０１４１０号公報
【特許文献２】特開平０８−１２５９７３号公報
【特許文献３】特開２００３−３０９８１０号公報
【発明の開示】
【発明が解決しようとする課題】
【００１３】
しかしながら、特許文献１記載の監視映像記録再生装置及び監視映像記録再生方法では、記録映像サイズと、表示サイズとが同じになるため、異なるサイズで表示するためには新規解像度変換手段を映像記憶手段とＤ／Ａ変換器の間に追加する必要がある。そのため、多チャンネル化した場合にはチャネル数の２倍の解像度変換手段が必要となる。
【００１４】
また、特許文献２記載の映像再生装置では、マルチ画面化手段がアナログ式の場合にはチャネル数分のＤ／Ａ変換器が必要となる。また、マルチ画面化手段がディジタル式の場合には、チャネル数分の解像度変換能力を持つマルチ画面化手段が必要となる。また、解像度変換して記録するためには、チャネル数分の解像度変換チャネルをディジタル圧縮器と、データ多重化部との間に設けるか、チャネル数分の解像度変換能力を持つデータ多重化部が必要となる。
【００１５】
また、特許文献３記載の映像記録再生装置では、チャネル数の増加に伴い、全てのチャネル表示のフレームレートが低下してしまい、重要なシーンを見逃してしまう恐れがある。
【００１６】
本発明はこのような問題点に鑑みなされたもので、多チャンネルに対応し、且つフレームレートを低下させずに、ハードウェア資源を削減することを目的とする。
【課題を解決するための手段】
【００１７】
そこで、前記問題を解決するため、本発明は、ディジタル化された映像データを記録、再生表示する映像記録再生装置であって、複数チャネルの第１のフォーマットの映像データの入力を受け付ける映像入力手段と、第１のフォーマットの映像データを第２のフォーマットの映像データにデコードするデコード手段と、第２のフォーマットの映像データを、異なる画面サイズの第２のフォーマットの映像データに解像度変換する解像度変換手段と、第２のフォーマットの映像データを第１のフォーマットの映像データにエンコードするエンコード手段と、第１のフォーマットの映像データを記録媒体に記録する映像記録手段と、前記記録媒体に記録された前記第１のフォーマットの映像データを読み出す映像再生手段と、第２のフォーマットの映像データを表示画面上に表示する表示手段と、前記映像入力手段からの第１のフォーマットの映像データを、前記デコード手段により第２のフォーマットの映像データにデコードし、前記解像度変換手段により記録画面サイズの第２のフォーマットの映像データに解像度変換し、前記デコード手段により第１のフォーマットの映像データにデコードし、前記映像記録手段により記録媒体に記録するよう制御し、前記映像入力手段又は前記再生手段からの第１のフォーマットの映像データを前記エンコード手段により第２のフォーマットの映像データにエンコードして前記解像度変換手段により表示画面サイズの第２のフォーマットの映像データに解像度変換し、前記表示手段により表示画面に表示するよう制御する映像記録再生制御手段と、を有し、前記映像記録再生制御手段は、新規映像チャネルに関する映像データの記録、再生の際、前記新規映像チャネルに係る入力映像データと同一の入力映像データに係る同一の映像チャネルを検索し、前記同一の映像チャネルが存在する場合には、前記デコード手段及び／又は前記解像度変換手段における前記同一の映像チャネルに関する映像データに対する処理と、前記新規映像チャネルに関する映像データに対する処理とを共用可能なように前記デコード手段及び／又は前記解像度変換手段への設定切り換え制御を行うことを特徴とする。
【００１８】
係る構成とすることにより、多チャンネルに対応し、且つフレームレートを低下させずに、ハードウェア資源を削減することができる。
【発明の効果】
【００１９】
本発明によれば、多チャンネルに対応し、且つフレームレートを低下させずに、ハードウェア資源を削減することができる。
【発明を実施するための最良の形態】
【００２０】
以下、本発明の実施形態について図面に基づいて説明する。
【００２１】
図１は、映像記録再生装置のブロック図及びシステム構成図である。図１において、１１０は、ＬＡＮ（Ｌｏｃａｌ  Ａｒｅａ  Ｎｅｔｗｏｒｋ）、インターネット等のネットワークである。１２０−１〜１２０−Ｎは、撮影した映像を、ネットワーク１１０を介して配信するネットワークカメラである。１３０−１〜１３０−Ｍは、ネットワーク１１０に接続可能な携帯電話、携帯情報端末等のリモート端末である。
【００２２】
また、１４０は、テレビ、ディスプレイ等の表示装置である。１５０は、赤外線リモートコントローラ、近距離無線伝送機能を備える携帯情報端末等の操作入力装置である。１６０は、ハードディスクドライブ、書込み可能なＤＶＤ等の映像データ記録媒体である。
【００２３】
また、１００は、ネットワークカメラ１２０−１〜１２０−Ｎから配信され映像を映像データ記録媒体１６０に記録し、表示装置１４０に表示する映像記録再生装置である。また、映像記録再生装置１００は、操作入力装置１５０やリモート端末１３０−１〜１３０−Ｎからの操作に応じて映像データ記録媒体１６０に記録された映像を表示装置１４０又はリモート端末１３０−１〜１３０−Ｎに再生表示する。
【００２４】
映像記録再生装置１００は、ネットワークカメラ１２０−１〜１２０−Ｎからの映像データの受信及びリモート端末１３０−１〜１３０−Ｍへの映像データの配信を行う映像入出力部１０２を含む。
【００２５】
また、映像記録再生装置１００は、Ｍｏｔｉｏｎ−ＪＰＥＧやＭＰＥＧ２／４等の映像フォーマットでエンコードされた映像データをＲＧＢビットマップやＹＵＶビットマップ等の映像フォーマットにデコードするデコード部１０３を含む。また、映像記録再生装置１００は、映像データの拡大、縮小を行う解像度変換部１０４を含む。
【００２６】
また、映像記録再生装置１００は、ＲＧＢビットマップやＹＵＶビットマップ等の映像フォーマットの映像データをＭｏｔｉｏｎ−ＪＰＥＧやＭＰＥＧ２／４等の映像フォーマットにエンコードするエンコード部１０８を含む。
【００２７】
また、映像記録再生装置１００は、フレームバッファ等を含み、ＲＧＢビットマップやＹＵＶビットマップ等の映像データを表示装置１４０に表示する表示部１０５を含む。
【００２８】
また、映像記録再生装置１００は、映像の記録、再生表示の操作入力を受け付ける操作入力部１０６を含む。また、映像記録再生装置１００は、記録媒体インタフェース、ファイルシステム等からなり映像データを映像データ記録媒体１６０に記録し、再生読み出しする映像記録再生部１０７を含む。
【００２９】
また、映像記録再生装置１００は、操作入力部１０６又は映像入出力部１０２を介したリモート端末１３０−１〜１３０−Ｍからの操作に基づき、デコード部１０３、解像度変換部１０４、エンコード部１０８を適宜介して、映像入出力部１０２から受信された映像データを映像記録再生部１０７により記録、又は表示部１０５により表示させる制御を行う映像記録再生制御部１０１を含む。また、映像記録再生制御部１０１は、映像記録再生部１０７において再生された映像データを表示部１０５により表示、又は映像入出力部１０２によりリモート端末１３０−１〜１３０−Ｍに配信する制御を行う。
【００３０】
ここで、映像記録再生制御部１０１は、新規映像チャネルに関する映像データの記録、再生の際、前記新規映像チャネルに関する映像データと同一の入力映像データを処理する同一入力映像チャネルを検索する。そして、映像記録再生制御部１０１は、前記同一入力映像チャネルが存在する場合には、前記同一入力映像チャネルに対するデコード部１０３及び／又は解像度変換部１０４を共用可能なようにデコード部１０３及び／又は解像度変換部１０４への設定を切り換えるよう制御を行う。
【００３１】
なお、デコード部１０３は、逆離散コサイン変換時に高周波成分をカットすることにより、縮小サイズの映像データをデコードすることができる。
【００３２】
図１に示される各構成は、ハードウェアとして実装されていてもよいし、その全て又は一部をソフトウェアとして実装されていてもよい。なお、全て又は一部をソフトウェアとして実装される場合は、図１には図示されていない、ＣＰＵにおいて、メモリ等に記憶されているプログラムを実行することによって各構成の機能が実現される。
【００３３】
図２は、表示装置１４０における表示画面のレイアウト図である。図２において、２００は分割表示画面であり、１２８０×９６０ドットの表示画面が、映像記録再生装置１００によって、６４０×４８０ドットの画面を３画面、３２０×２４０ドットの画面を４画面の合計７画面に分割されて表示される一例を示している。
【００３４】
この分割表示画面２００は、表示部１０５において、分割画面の座標に対応するフレームバッファのアドレスに、適切に解像度変換された映像データが書き込まれることにより実現される。
【００３５】
図３ａ〜図３ｃは、映像記録再生装置１００における管理情報の概念図である。３０１は、システム内のネットワークカメラ１２０−１〜１２０−Ｎに一意に割り振られるカメラＩＤ及びそのカメラのＩＰアドレスからなるカメラ管理情報である。
【００３６】
また、３０２は、システム内のリモート端末１３０−１〜１３０−Ｎに一意に割り振られるリモート端末ＩＤと、そのリモート端末のＩＰアドレスと、表示画面サイズと、からなるリモート端末管理情報である。
【００３７】
また、３０３は、分割表示画面２００において、分割された個々の表示画面に一意に割り振られる表示画面ＩＤと、その表示画面の表示画面座標と、表示画面サイズと、からなる表示画面管理情報である。
【００３８】
また、３０４は、デコード部１０３が処理可能なデコードチャネル（又はデコード部１０３が管理するデコーダ）毎に一意に割り振られるデコードチャネルＩＤと、そのデコードチャネルに設定されたデコードチャネルサイズと、からなるデコードチャネル管理情報である。
【００３９】
また、３０５は、解像度変換部１０４が処理可能な解像度変換チャネル（又は解像度変換部１０４が管理する解像度変換器）毎に一意に割り振られる解像度変換チャネルＩＤと、その解像度変換チャネルに設定された変換サイズと、からなる解像度変換チャネル管理情報である。
【００４０】
また、３０６は、エンコード部１０８が処理可能なエンコードチャネル（又はエンコード部１０８が管理するエンコーダ）毎に一意に割り振られるエンコードチャネルＩＤと、そのエンコードチャネルに設定されたエンコードチャネル設定と、からなるエンコードチャネル管理情報である。
【００４１】
また、３０７は、映像データ記録媒体１６０に記録された記録映像データに一意に割り振られる記録映像ＩＤと、その記録映像のカメラＩＤと、記録日時と、記録時間と、記録映像サイズと、からなる記録映像管理情報である。
【００４２】
また、３０８は、映像記録再生制御部１０１が記録、再生表示処理している映像チャネルに対して一意に割り振られるチャネルＩＤと、その映像チャネルのチャネル種別と、入力種別と、入力ＩＤと、デコードチャネルＩＤと、解像度変換チャネルＩＤと、エンコードチャネルＩＤと、出力種別と、出力ＩＤと、からなる映像チャネル管理情報である。
【００４３】
なお、映像チャネル管理情報３０８において、チャネル種別の「ライブ映像表示」とは、ネットワークカメラ１２０−１〜１２０−Ｎから受信した映像データを表示装置１４０に表示することをいう。
【００４４】
また、「リモートライブ表示」とは、ネットワークカメラ１２０−１〜１２０−Ｎから受信した映像データをリモート端末１３０−１〜１３０−Ｍで表示することである。また、「リモート再生」とは、記録映像をリモート端末１３０−１〜１３０−Ｍで再生表示することである。
【００４５】
ここで、３０１〜３０８の各管理情報は、映像記録再生制御部１０１のメモリ等に記憶され、映像記録再生制御部１０１は、各管理情報を適宜読み出して映像の記録、再生表示制御を行う。
【００４６】
図４は、映像記録再生装置１００におけるメイン処理の一例を示すフロー図である。
映像記録再生装置１００は、後述する図５に係る映像記録サービス処理を起動する（Ｓ４０１）。続いて、映像記録再生装置１００は、後述する図８ａ〜図８ｃに係る映像再生表示サービス処理を起動する（Ｓ４０２）。続いて、映像記録再生装置１００は、後述する図９ａ〜図９ｂに係る映像リモート再生表示サービス処理を起動する（Ｓ４０３）。そして、映像記録再生装置１００は、操作入力部１０６等からの停止操作を待つ（Ｓ４０４においてＮｏ）。停止操作があれば（Ｓ４０４においてＹｅｓ）、映像記録再生装置１００は、映像記録サービス処理を停止する（Ｓ４４１）。また、映像記録再生装置１００は、映像再生表示サービス処理を停止する（Ｓ４４２）。また、映像記録再生装置１００は、映像リモート再生表示サービス処理を停止する（Ｓ４４３）。そして、映像記録再生装置１００は、メイン処理を終了する。
【００４７】
図５は、映像記録再生装置１００における映像記録サービス処理の一例を示すフロー図である。
【００４８】
映像記録再生装置１００は、カメラ管理情報３０１からカメラＩＤを順次読出し（Ｓ５０１）、カメラＩＤが終了しているか否かを判定する。カメラＩＤが終了していなければ（Ｓ５０２においてＮｏ）、映像記録再生装置１００は、カメラＩＤを映像チャネル管理情報３０８の入力ＩＤ、入力種別を「カメラ」に設定する（Ｓ５２１）。
【００４９】
また、映像記録再生装置１００は、記録映像管理情報３０７からカメラＩＤに対応する記録映像ＩＤを読出して映像チャネル管理情報３０８の出力ＩＤ、出力種別を「記録映像」に設定する（Ｓ５２２）。そして、映像記録再生装置１００は、入力映像と、出力（記録）映像とのサイズ、フォーマット等が同一であるか否を判定する（Ｓ５２３）。入力映像と、出力映像とが同一の場合（Ｓ５２３においてＹｅｓ）、映像記録再生装置１００は、後述する図７ａ〜図７ｂに係る映像チャネル処理を起動し（Ｓ５２８）、Ｓ５０１からの処理を繰り返す。
【００５０】
入力映像と、出力映像とが異なる場合（Ｓ５２３においてＮｏ）、映像記録再生装置１００は、映像チャネル管理情報３０８に同一の入力映像に対するチャネルに関する処理（以下、単に同一入力映像チャネル処理）があるか否かを判定する（Ｓ５２４）。ここで、同一入力映像チャネル処理とは、同一種別の入力映像データ、且つ同一種別のチャネルに係る処理のことである。
【００５１】
映像記録再生装置１００は、映像チャネル管理情報３０８に同一入力映像チャネル処理がなければ（Ｓ５２４においてＮｏ）、デコードチャネル管理情報３０４から空きのデコードチャネルＩＤを取得する。そして、映像記録再生装置１００は、映像チャネル管理情報３０８のデコードチャネルＩＤに設定する（Ｓ５２５）。そして、映像記録再生装置１００は、デコードサイズを出力サイズに設定する（Ｓ５２６）。
【００５２】
また、映像記録再生装置１００は、エンコードチャネル管理情報３０６から空きのエンコードチャネルＩＤを取得し、映像チャネル管理情報３０８のエンコードチャネルＩＤに設定し（Ｓ５２７）、Ｓ５２８からの処理を継続する。
【００５３】
同一入力映像チャネル処理がある場合（Ｓ５２４においてＹｅｓ）、映像記録再生装置１００は、後述する図６ａ〜図６ｂに示すデコードチャネル・解像度変換チャネル設定切換処理を行い（Ｓ５４１）、Ｓ５２７からの処理を継続する。
【００５４】
なお、カメラＩＤが終了した場合（Ｓ５０２においてＹｅｓ）、映像記録再生装置１００は、メイン処理からの映像記録サービス処理停止を待つ（Ｓ５０３においてＮｏ）。映像記録再生装置１００は、停止の指示があれば（Ｓ５０３においてＹｅｓ）、起動した全ての映像チャネル処理を停止し（Ｓ５３１）、映像記録サービス処理を終了する。
【００５５】
図６ａ〜図６ｂは、映像記録再生装置１００におけるデコードチャネル・解像度変換チャネル設定切換処理の一例を示すフロー図である。
【００５６】
映像記録再生装置１００は、同一入力映像チャネルのデコードチャネルと、解像度変換チャネルとの設定を映像チャネル管理情報３０８のデコードチャネルＩＤ、解像度変換チャネルＩＤに基づきデコードチャネル管理情報３０４、解像度変換チャネル管理情報３０５から読出す（Ｓ６０１）。
【００５７】
また、映像記録再生装置１００は、デコードチャネルＩＤを新規映像チャネルの映像チャネル管理情報３０８に設定する（Ｓ６０２）。そして、映像記録再生装置１００は、同一入力映像チャネルの解像度変換チャネルの変換サイズと、新規映像チャネルの出力サイズとが同一か否かを判定する（Ｓ６０３）。
【００５８】
同一入力映像チャネルの解像度変換チャネルの変換サイズと、新規映像チャネルの出力サイズとが異なる場合（Ｓ６０３においてＮｏ）、映像記録再生装置１００は、同一入力映像チャネルのデコードチャネルのデコードサイズと、新規映像チャネルの出力サイズとが同一か否かを判定する（Ｓ６０４）。
【００５９】
同一入力映像チャネルのデコードチャネルのデコードサイズと、新規映像チャネルの出力サイズとが異なる場合（Ｓ６０４においてＮｏ）、映像記録再生装置１００は、同一入力映像チャネルのデコードサイズが新規映像チャネルの出力サイズより大きいか否かを判定する（Ｓ６０５）。
【００６０】
同一入力映像チャネルのデコードサイズが新規映像チャネルの出力サイズより小さい場合（Ｓ６０５においてＮｏ）、映像記録再生装置１００は、同一入力映像チャネル処理を一時停止する（Ｓ６０６）。また、映像記録再生装置１００は、同一入力映像チャネルのデコードサイズを新規映像チャネルの出力サイズに設定変更する（Ｓ６０７）。
【００６１】
映像記録再生装置１００は、同一入力映像チャネルで解像度変換チャネルが使用されているか否かを判定する（Ｓ６０８）。同一入力映像チャネルで解像度変換チャネルが使用されていなければ（Ｓ６０８においてＮｏ）、映像記録再生装置１００は、解像度変換チャネル管理情報３０５に基づき、空きの解像度変換チャネルＩＤを取得する。そして、映像記録再生装置１００は、同一入力映像チャネルの映像チャネル管理情報３０８の解像度変換チャネルＩＤに設定する（Ｓ６８１）。
【００６２】
映像記録再生装置１００は、変換サイズを同一入力映像チャネルの出力サイズに設定し（Ｓ６０９）、同一入力映像チャネル処理を再開し（Ｓ６１０）、デコードチャネル・解像度変換チャネル設定切換処理を終了する。
【００６３】
ここで、同一入力映像チャネルの解像度変換チャネルの変換サイズが新規映像チャネルの出力サイズと等しい場合（Ｓ６０３においてＹｅｓ）、映像記録再生装置１００は、解像度変換チャネルＩＤを新規映像チャネルの映像チャネル管理情報３０８の解像度変換チャネルＩＤに設定し（Ｓ６３１）、デコードチャネル・解像度変換チャネル設定切換処理を終了する。
【００６４】
また、同一入力映像チャネルのデコードサイズが新規映像チャネルの出力サイズと等しい場合（Ｓ６０４においてＹｅｓ）、映像記録再生装置１００は、そのままデコードチャネル・解像度変換チャネル設定切換処理を終了する。
【００６５】
また、同一入力映像チャネルのデコードサイズが新規映像チャネルの出力サイズより大きい場合（Ｓ６０５においてＹｅｓ）、映像記録再生装置１００は、解像度変換チャネル管理情報３０５に基づき、空きの解像度変換チャネルＩＤを取得する。そして、映像記録再生装置１００は、新規映像チャネルの映像チャネル管理情報３０８の解像度変換チャネルＩＤに設定する（Ｓ６５１）。映像記録再生装置１００は、変換サイズを新規映像チャネルの出力サイズに設定し（Ｓ６５２）、デコードチャネル・解像度変換チャネル設定切換処理を終了する。
【００６６】
図７ａ〜図７ｂは、映像記録再生装置１００における映像チャネル処理の一例を示すフロー図である。
【００６７】
映像記録再生装置１００は、映像チャネル管理情報３０８における入力ＩＤ、出力ＩＤに対応する映像記録再生部１０７、映像入出力部１０２、表示部１０５等の入出力先を開く（Ｓ７０１）。映像記録再生装置１００は、映像チャネル処理が停止されているか否かを判定する（Ｓ７０２）。
【００６８】
映像チャネル処理が停止されていない場合（Ｓ７０２においてＮｏ）、映像記録再生装置１００は、映像チャネル処理が一時停止されているか否かを判定する（Ｓ７０３）。映像チャネル処理の一時停止がされない場合（Ｓ７０３においてＮｏ）、映像記録再生装置１００は、読出し済みの映像データがあるか否かを判定する（Ｓ７０４）。
【００６９】
読出し済みの映像データがない場合（Ｓ７０４においてＮｏ）、映像記録再生装置１００は、入力ＩＤに対応する映像データを読出し（Ｓ７４１）、デコードチャネルＩＤを設定する。
【００７０】
映像記録再生装置１００は、デコードチャネルＩＤがあるか否かを判定する（Ｓ７０５）。デコードチャネルＩＤがある場合（Ｓ７０５においてＹｅｓ）、映像記録再生装置１００は、デコード済みの映像データがあるか否かを判定する（Ｓ７５１）。デコード済みの映像データがない場合（Ｓ７５１においてＮｏ）、映像記録再生装置１００は、デコードチャネルＩＤに対応するデコードチャネルで映像データをデコードする（Ｓ７５２）。
【００７１】
続いて、映像記録再生装置１００は、解像度変換チャネルＩＤが設定されているか否かを判定する（Ｓ７０６）。解像度変換チャネルＩＤが設定されている場合（Ｓ７０６においてＹｅｓ）、解像度変換済み映像データがあるか否かを判定する（Ｓ７６１）。
【００７２】
解像度変換済み映像データがない場合（Ｓ７６１においてＮｏ）、映像記録再生装置１００は、解像度変換チャネルＩＤに対応する解像度変換チャネルで映像データを解像度変換する（Ｓ７６２）。映像記録再生装置１００は、エンコードＩＤが設定されているか否かを判定する（Ｓ７０７）。
【００７３】
エンコードＩＤが設定されている場合（Ｓ７０７においてＹｅｓ）、映像記録再生装置１００は、エンコードＩＤに対応するエンコードチャネルで映像データをエンコードする（Ｓ７７１）。そして、映像記録再生装置１００は、出力ＩＤに対応する出力先に映像データを書込み（Ｓ７０８）、Ｓ７０２からの処理を繰り返す。
【００７４】
映像チャネル処理が停止されている場合（Ｓ７０２においてＹｅｓ）、映像記録再生装置１００は、入出力先を閉じる。そして、映像記録再生装置１００は、デコードチャネルＩＤ、解像度変換チャネルＩＤ、エンコードチャネルＩＤのそれぞれに対応するデコードチャネル・解像度変換チャネル、エンコードチャネルを開放（Ｓ７２１）する。そして、映像記録再生装置１００は、映像チャネル処理を終了する。
【００７５】
映像チャネル処理が一時停止されている場合（Ｓ７０３においてＹｅｓ）、映像記録再生装置１００は、映像チャネル処理再開の指示を待ち（Ｓ７３１においてＮｏ）、再開の指示があれば（Ｓ７３１においてＹｅｓ）、Ｓ７０４からの処理を継続する。
【００７６】
ここで、エンコードチャネルＩＤが設定されていれば（Ｓ７０７においてＹｅｓ）、映像記録再生装置１００は、エンコードチャネルＩＤに対応するエンコードチャネルで映像データをエンコードする（Ｓ７７１）するよう説明を行なった。しかしながら、デコードチャネルや解像度変換チャネルと同様に共用し、映像記録再生装置１００は、エンコード済み映像データがない場合に、Ｓ７７１の処理を行うようにしてもよい。
【００７７】
図８ａ〜図８ｃは、映像記録再生装置１００における映像再生表示サービス処理の一例を示すフロー図である。
【００７８】
映像記録再生装置１００は、表示画面管理情報３０７から表示画面ＩＤを順次読出し（Ｓ８０１）、表示画面ＩＤが終了しているか否かを判定する（Ｓ８０２）。表示画面ＩＤが終了していなければ（Ｓ８０２においてＮｏ）、映像記録再生装置１００は、図示しない管理情報により対応付けされた表示画面ＩＤに対応するカメラＩＤを映像チャネル管理情報３０８の入力ＩＤに設定する。そして、映像記録再生装置１００は、入力種別を「カメラ」に設定する（Ｓ８２１）。
【００７９】
また、映像記録再生装置１００は、表示画面ＩＤを映像チャネル管理情報３０８の出力ＩＤに、出力種別を「表示画面」に設定し（Ｓ８２２）、同一入力映像チャネル処理があるか否かを判定する（Ｓ８２３）。
【００８０】
同一入力映像チャネル処理がなければ（Ｓ８２３においてＮｏ）、映像記録再生装置１００は、デコードチャネル管理情報３０４から空きのデコードチャネルＩＤを取得して映像チャネル管理情報３０８のデコードチャネルＩＤに設定する（Ｓ８２４）。そして、映像記録再生装置１００は、デコードサイズを出力サイズに設定する（Ｓ８２５）。
【００８１】
また、映像記録再生装置１００は、図７ａ〜図７ｂに係る映像チャネル処理を起動し（Ｓ８２６）、Ｓ８０１からの処理を繰り返す。
【００８２】
同一入力映像チャネル処理がある場合（Ｓ８２３においてＹｅｓ）、映像記録再生装置１００は、図６に示したデコードチャネル・解像度変換チャネル設定切換処理を実行し（Ｓ８７１）、Ｓ８２６からの処理を継続する。
【００８３】
表示画面ＩＤが終了し（Ｓ８０２においてＹｅｓ）、映像再生表示サービス処理停止が指示されると（Ｓ８０３においてＹｅｓ）、映像記録再生装置１００は、起動した全ての映像チャネル処理を停止し（Ｓ８３１）、映像再生表示サービス処理を終了する。
【００８４】
映像再生表示サービス処理停止が指示されない場合（Ｓ８０３においてＮｏ）、映像記録再生装置１００は、記録映像再生操作が有るか否かを判定する（Ｓ８０４）。記録映像再生操作が有る場合（Ｓ８０４においてＹｅｓ）、映像記録再生装置１００は、対応する映像チャネル処理を一時停止する（Ｓ８４１）。
【００８５】
そして、映像記録再生装置１００は、記録映像管理情報３０７からカメラＩＤに対応する記録映像ＩＤを読出し、映像チャネル管理情報３０８の入力ＩＤに設定し、入力種別を「記録映像」に設定する（Ｓ８４２）。
【００８６】
また、映像記録再生装置１００は、対応する映像チャネル処理を再開し（Ｓ８４３）、ライブ映像表示操作が有るか否かを判定する（Ｓ８０５）。ライブ映像表示操作が有る場合（Ｓ８０５においてＹｅｓ）、映像記録再生装置１００は、対応する映像チャネル処理を一時停止する（Ｓ８５１）。
【００８７】
そして、映像記録再生装置１００は、記録映像管理情報３０７から記録映像ＩＤに対応するカメラＩＤを読出し、映像チャネル管理情報３０８の入力ＩＤに設定し、入力種別を「カメラ」に設定する（Ｓ８５２）。
【００８８】
また、映像記録再生装置１００は、対応する映像チャネル処理を再開し（Ｓ８５３）、表示画面変更が有るか否かを判定する（Ｓ８０６）。表示画面変更が有る場合（Ｓ８０６においてＮｏ）、映像記録再生装置１００は、Ｓ８０３からの処理を繰り返す。
【００８９】
表示画面変更がある場合（Ｓ８０６においてＹｅｓ）、映像記録再生装置１００は、対応する映像チャネル処理を一時停止する（Ｓ８６１）。そして、映像記録再生装置１００は、指定されたカメラＩＤを読出し、映像チャネル管理情報３０８の入力ＩＤに設定し、入力種別を「カメラ」に設定する（Ｓ８６２）。
【００９０】
また、映像記録再生装置１００は、デコードチャネル及び解像度変換チャネルを開放し（Ｓ８６３）、同一入力映像チャネル処理が有るか否かを判定する（Ｓ８６４）。同一入力映像チャネル処理がない場合（Ｓ８６４においてＮｏ）、映像記録再生装置１００は、デコードチャネル管理情報３０４から空きのデコードチャネルＩＤを取得して、映像チャネル管理情報３０８のデコードチャネルＩＤに設定する（Ｓ８６５）。
【００９１】
また、映像記録再生装置１００は、デコードサイズを出力サイズに設定し（Ｓ８６６）、対応する映像チャネル処理を再開し（Ｓ８６７）、Ｓ８０３からの処理を繰り返す。
【００９２】
また、同一入力映像チャネル処理がある場合（Ｓ８６４においてＹｅｓ）、映像記録再生装置１００は、図６に示したデコードチャネル・解像度変換チャネル設定切換処理を実行し（Ｓ８８１）、Ｓ８６７からの処理を継続する。
【００９３】
図９ａ〜図９ｂは、映像記録再生装置１００における映像リモート再生表示サービス処理の一例を示すフロー図である。
【００９４】
映像記録再生装置１００は、映像リモート再生表示サービス処理の停止が指示されているか否かを判定する（Ｓ９０１）。映像リモート再生表示サービス処理の停止が指示されていない場合（Ｓ９０１においてＮｏ）、映像記録再生装置１００は、ライブ映像リモート表示要求が有るか否かを判定する（Ｓ９０２）。
【００９５】
ライブ映像リモート表示要求がない場合（Ｓ９０２においてＮｏ）、映像記録再生装置１００は、記録映像リモート再生要求が有るか否かを判定する（Ｓ９０３）。記録映像リモート再生要求がない場合（Ｓ９０３においてＮｏ）、映像記録再生装置１００は、映像リモート再生表示処理停止が指示されているか否かを判定する（Ｓ９０４）。
【００９６】
映像リモート再生表示処理停止が指示されていない場合（Ｓ９０４においてＮｏ）、映像記録再生装置１００は、Ｓ９０１からの処理を繰り返す。
【００９７】
映像リモート再生表示サービス処理の停止が指示された場合（Ｓ９０１においてＹｅｓ）、映像記録再生装置１００は、起動した全ての映像チャネルの処理を停止し（Ｓ９１１）、映像リモート再生表示サービス処理を終了する。
【００９８】
映像リモート再生表示処理の停止が指示された場合（Ｓ９０４においてＹｅｓ）、映像記録再生装置１００は、指定された映像チャネル処理を停止し（Ｓ９４１）、Ｓ９０１からの処理を繰り返す。
【００９９】
ライブ映像リモート表示要求がされた場合（Ｓ９０２においてＹｅｓ）、映像記録再生装置１００は、指定カメラＩＤを映像チャネル管理情報３０８の入力ＩＤに設定し、入力種別を「カメラ」に設定する（Ｓ９２１）。また、映像記録再生装置１００は、リモート端末ＩＤを映像チャネル管理情報３０８の出力ＩＤに設定し、入力種別を「リモート端末」に設定する（Ｓ９２２）。
【０１００】
また、映像記録再生装置１００は、入力映像と、出力映像とのサイズ、フォーマット等が同一であるか否かを判定する（Ｓ９２３）。入力映像と、出力映像とのサイズ、フォーマット等が同一であれば（Ｓ９２３においてＹｅｓ）、映像記録再生装置１００は、図７ａ〜図７ｂに係る映像チャネル処理を起動し（Ｓ９２８）、Ｓ９０１の処理から繰り返す。
【０１０１】
入力映像と、出力映像とが異なる場合（Ｓ９２３においてＮｏ）、映像記録再生装置１００は、同一入力映像チャネル処理があるか否かを判定する（Ｓ９２４）。同一入力映像チャネル処理がなければ（Ｓ９２４においてＮｏ）、映像記録再生装置１００は、デコードチャネル管理情報３０４から空きのデコードチャネルＩＤを取得して、映像チャネル管理情報３０８のデコードチャネルＩＤに設定する（Ｓ９２５）。そして、映像記録再生装置１００は、デコードサイズを出力サイズに設定する（Ｓ９２６）。
【０１０２】
また、映像記録再生装置１００は、エンコードチャネル管理情報３０６から空きのエンコードチャネルＩＤを取得し、映像チャネル管理情報３０８のエンコードチャネルＩＤに設定し（Ｓ９２７）、Ｓ９２８からの処理を継続する。
【０１０３】
同一入力映像チャネル処理がある場合（Ｓ９２４においてＹｅｓ）、映像記録再生装置１００は、図６に示したデコードチャネル・解像度変換チャネル設定切換処理を行い（Ｓ９５１）、Ｓ９２７からの処理を継続する。
【０１０４】
記録映像リモート再生要求がされた場合（Ｓ９０３においてＹｅｓ）、映像記録再生装置１００は、記録映像管理情報３０７より指定カメラＩＤに対応する記録映像ＩＤを読出し、映像チャネル管理情報３０８の入力ＩＤに設定する。そして、映像記録再生装置１００は、入力種別を「記録映像」に設定する（Ｓ９３１）。そして、映像記録再生装置１００は、Ｓ９２２からの処理を継続する。
【０１０５】
以上、本実施形態による映像記録再生装置１００は、同一入力映像チャネルが存在する場合、空きデコードチャネル（デコーダ）及び／又は解像度変換チャネル（解像度変換器）を取得する必要が無い。つまり、映像記録再生装置１００は、新規映像チャネルは同一入力映像チャネルのデコードチャネル（デコーダ）及び／又は解像度変換チャネル（解像度変換器）を共用して映像データの記録、再生を行うよう動作する。そのため、フレームレートを低下させることなくデコードチャネル（デコーダ）及び／又は解像度変換チャネル（解像度変換器）の数を削減することができる。
【０１０６】
よって、本実施形態によれば、多チャンネルに対応し、且つフレームレートを低下させずに、ハードウェア資源を削減することができる。
【０１０７】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【０１０８】
【図１】映像記録再生装置のブロック図及びシステム構成図である。
【図２】表示画面のレイアウト図である。
【図３ａ】映像記録再生装置１００における管理情報の概念図（その１）である。
【図３ｂ】映像記録再生装置１００における管理情報の概念図（その２）である。
【図３ｃ】映像記録再生装置１００における管理情報の概念図（その３）である。
【図４】映像記録再生装置１００におけるメイン処理の一例を示すフロー図である。
【図５】映像記録再生装置１００における映像記録サービス処理の一例を示すフロー図である。
【図６ａ】映像記録再生装置１００におけるデコードチャネル・解像度変換チャネル設定切換処理の一例を示すフロー図（その１）である。
【図６ｂ】映像記録再生装置１００におけるデコードチャネル・解像度変換チャネル設定切換処理の一例を示すフロー図（その２）である。
【図７ａ】映像記録再生装置１００における映像チャネル処理の一例を示すフロー図（その１）である。
【図７ｂ】映像記録再生装置１００における映像チャネル処理の一例を示すフロー図（その２）である。
【図８ａ】映像記録再生装置１００における映像再生表示サービス処理の一例を示すフロー図（その１）である。
【図８ｂ】映像記録再生装置１００における映像再生表示サービス処理の一例を示すフロー図（その２）である。
【図８ｃ】映像記録再生装置１００における映像再生表示サービス処理の一例を示すフロー図（その３）である。
【図９ａ】映像記録再生装置１００における映像リモート再生表示サービス処理の一例を示すフロー図（その１）である。
【図９ｂ】映像記録再生装置１００における映像リモート再生表示サービス処理の一例を示すフロー図（その２）である。
【符号の説明】
【０１０９】
１００  映像記録再生装置
１０１  映像記録再生制御部
１０２  映像入出力部
１０３  デコード部
１０４  解像度変換部
１０５  表示部
１０６  操作入力部
１０７  映像記録再生部
１０８  エンコード部
２００  分割表示画面
３０１  カメラ管理情報
３０２  リモート端末管理情報
３０３  表示画面管理情報
３０４  デコードチャネル管理情報
３０５  解像度変換チャネル管理情報
３０６  エンコードチャネル管理情報
３０７  記録映像管理情報
３０８  映像チャネル管理情報
【図１】
2007324882.tif 000003
【図２】
2007324882.tif 000004
【図３ａ】
2007324882.tif 000005
【図３ｂ】
2007324882.tif 000006
【図３ｃ】
2007324882.tif 000007
【図４】
2007324882.tif 000008
【図５】
2007324882.tif 000009
【図６ａ】
2007324882.tif 000010
【図６ｂ】
2007324882.tif 000011
【図７ａ】
2007324882.tif 000012
【図７ｂ】
2007324882.tif 000013
【図８ａ】
2007324882.tif 000014
【図８ｂ】
2007324882.tif 000015
【図８ｃ】
2007324882.tif 000016
【図９ａ】
2007324882.tif 000017
【図９ｂ】
2007324882.tif 000018